(57)【要約】【課題】光ディスク装置において、光ピックアップの光学部品が異物付着等によって汚れると対物レンズ出射光量が減少し、光ディスクの記録や再生の品質が低下する。光ピックアップの外に設けられた反射ミラーに対物レンズ出射光を照射し、その反射光量を光ピックアップで受光しモニタすることで、対物レンズ出射光量の減少を確認することができるが、反射ミラーの一箇所に光を照射し続けると、被照射部が劣化して反射率が低下し、対物レンズ出射光量の減少を正確に行えなくなる課題があった。【解決手段】対物レンズ出射光量を確認するために、対物レンズ出射光を反射ミラーに照射する場合に、反射ミラーを連続的または断続的に移動させることによって、同一箇所に連続的に光が照射されることを防ぐ構成とした。【選択図】図１
2011159337.tif 000002
【特許請求の範囲】
【請求項１】
光ディスクに情報を記録、又は、光ディスクの情報を再生することが可能な光ディスク装置であって、
自装置内に設けられ、光を反射する反射素子と、
前記光ディスクとは別に、前記反射素子に対して光ビームを照射することが可能な光ピックアップと、
前記光ピックアップで得られる前記反射素子からの反射光に基づいて前記光ピックアップのクリーニングが必要か否かを検知する検知手段と、
前記反射素子を移動させる反射素子駆動装置と、
を備える光ディスク装置。
【請求項２】
前記光ピックアップから光ビームを前記反射素子に照射する時には、前記反射素子駆動装置によって前記反射素子を連続的または断続的に移動させ続けることを特徴とする、
請求項１に記載の光ディスク装置。
【請求項３】
前記光ディスク装置内に更に光ディスク駆動装置を備え、
前記反射素子は直接的または間接的に前記光ディスク駆動装置に接触されることにより前記光ディスク駆動装置によって移動することができるようになり、前記光ディスク駆動装置が前記反射素子駆動装置を兼ねることを特徴とする、
請求項２に記載の光ディスク装置。
【請求項４】
前記反射素子駆動装置による前記反射素子の移動方向は、前記光ディスク装置内に前記光ディスクを取付けた場合の、前記光ディスクの面内方向に略平行であることを特徴とする、
請求項１に記載の光ディスク装置。
【請求項５】
前記光ピックアップは更に対物レンズと前記対物レンズを駆動する対物レンズアクチュエータを備え、
前記反射素子に前記光ピックアップが光を照射しながら、前記反射素子を移動させる場合には、前記対物レンズアクチュエータを駆動させて、前記反射素子に対して合焦するようにフォーカス制御を行うことを特徴とする、
請求項１に記載の光ディスク装置。
【請求項６】
前記反射素子駆動装置は、ピエゾ圧電効果を用いた駆動装置であることを特徴とする、
請求項１に記載の光ディスク装置。
【請求項７】
前記反射素子駆動装置は、モータによる駆動装置であることを特徴とする、
請求項１に記載の光ディスク装置。
【請求項８】
前記反射素子は、基材表面に金属膜を備えることを特徴とする、
請求項１に記載の光ディスク装置。
【請求項９】
前記反射素子は、基材表面に多層の誘電体膜を備えることを特徴とする、
請求項１に記載の光ディスク装置。
【請求項１０】
前記反射素子に前記光ピックアップから光ビームを照射した積算時間を記録する記録部を更に備え、
一定の積算時間が経過した場合には、前記光ピックアップからの光ビームが照射される前記反射素子の位置を、反射素子駆動装置によって一定量移動させることを特徴とする、
請求項１に記載の光ディスク装置。
【請求項１１】
前記反射素子に前記光ピックアップから光ビームを照射した回数を記録する記録部を更に備え、
一定の回数に達した場合には、前記光ピックアップからの光ビームが照射される前記反射素子の位置を、反射素子駆動装置によって一定量移動させることを特徴とする、
請求項１に記載の光ディスク装置。
【請求項１２】
前記光ディスク装置に前記光ディスクが取付けられている場合に、前記反射素子は前記光ディスクを挟んで前記光ピックアップとは反対側に配置されることを特徴とする、
請求項３に記載の光ディスク装置。
【請求項１３】
前記光ディスク装置に前記光ディスクが取付けられている場合でも、前記反射素子は前記光ディスクに対して前記光ピックアップと同じ面側に配置されることを特徴とする、
請求項３に記載の光ディスク装置。
【請求項１４】
光ディスクに情報を記録、又は、光ディスクの情報を再生することが可能な光ディスク装置であって、
自装置内に設けられ、光を反射する反射素子と、
前記光ディスクとは別に、前記反射素子に対して光ビームを照射することが可能な光ピックアップと、
前記光ピックアップで得られる前記反射素子からの反射光に基づいて前記光ピックアップのクリーニングが必要か否かを検知する検知手段と、
前記光ピックアップを移動する光ピックアップ移動装置と、
を備え、
前記光ピックアップから光ビームを前記反射素子に照射する時に、前記光ピックアップ移動装置は、前記光ピックアップを連続的または断続的に移動させ続けることを特徴とする光ディスク装置。
【請求項１５】
前記光ディスク装置の前記光ピックアップや前記各種駆動装置を制御する制御部を備えた光ディスク処理装置であって、
前記請求項１から請求項１４のいずれか一つに規定される光ディスク装置を備える光ディスク処理装置。
【請求項１６】
前記請求項１５に規定される光ディスク処理装置と、
情報を入力するための入力手段と、
前記光ディスク処理装置から再生された情報および／または前記入力手段から入力された情報に基づいて演算を行う演算手段と、
前記光ディスク処理装置から再生された情報および／または前記入力手段から入力された情報および／または前記演算手段によって演算された結果を出力するための出力手段と、
を備えたコンピュータ。
【請求項１７】
前記請求項１５に規定される光ディスク処理装置と、
前記光ディスク処理装置から得られる情報信号を画像情報に変換するデコーダと、
を備えた光ディスクプレーヤ。
【請求項１８】
前記請求項１５に規定される光ディスク処理装置と、
画像情報を前記光ディスク処理装置によって記録するための情報信号に変換するエンコーダと、
を備えた光ディスクレコーダ。
【請求項１９】
前記請求項１５に規定される光ディスク処理装置と、表示部と、を少なくとも備えた光ディスク機器であって、
前記光ピックアップからの光ビームを前記反射素子に照射し、その反射光量を前記光ピックアップで受光することにより光量確認を実施し、前記受光した反射光量が一定レベル以下であった場合に、前記表示部にレンズクリーナーの使用を促すことを表示する、
光ディスク機器。
【発明の詳細な説明】
【技術分野】
【０００１】
本発明は、互いに波長の異なる複数の光源を備え、複数種類の光ディスク等の情報記録媒体に対して、光学的に情報の記録または再生を行う光ピックアップを具備した光ディスク装置と、この光ディスク装置を具備したコンピュータ、光ディスクプレーヤ、光ディスクレコーダに関するものである。
【背景技術】
【０００２】
近年、青紫半導体レーザの実用化に伴い、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）と同じサイズで、高密度・大容量の光情報記録媒体（以下、光ディスクともいう）であるＢｌｕ−ｒａｙ  Ｄｉｓｃ（以下、ＢＤ）が実用化されている。このＢＤは、波長４００ｎｍ程度の青紫レーザ光源と、開口数（Ｎｕｍｅｒｉｃａｌ  Ａｐｅｒｔｕｒｅ、ＮＡ）を０．８５まで高めた対物レンズを用いて情報の記録または再生を行う、保護基板厚約０．１ｍｍの光ディスクである。
【０００３】
このような光ディスクの情報記録面に対して、光束を対物レンズを用いて収束させ、光ディスクの情報の記録または再生を行う光ピックアップにおいて、しばしば対物レンズ等の光学部品の汚れや異物付着によって、光ディスクの情報記録面上の光スポットの光量やスポット品質が低下し、記録・再生性能が悪化することがある。このような光学部品の汚れを、光ピックアップを搭載する光ディスク装置自身で判別するための方法が提案されている。
【０００４】
例えば特許文献１には、光ピックアップ外に備えた光源からの出射光を、対物レンズを通過させて光ピックアップ内の光検出器で受光させ、光学部品の汚れのない状態の受光量と比較させて汚れの程度を検知する方法が提案されている。
【０００５】
また特許文献２には、光ピックアップ外に反射手段を設け、該反射手段で反射された対物レンズ出射光を光ピックアップ内の光検出器で受光させ、汚れのない状態の受光量と比較させて汚れの程度を検出する方法が提案されている。本特許文献２に示された、従来の光ディスク装置の構成例を図１２に示す。図１２において、１０１は光ピックアップ、１０２は光ピックアップの構成部品である対物レンズ、１０３は光ピックアップの外に設けられた反射ミラー、１０４は光ディスク、１０５はスピンドルモータを示す。この構成において、スピンドルモータ１０５に取付けられた光ディスク１０４の径方向外形よりも外の位置に、反射ミラー１０３が配置されている。光ピックアップ１０１を光ディスク１０４の半径方向に反射ミラー１０３の真下まで移動させると、対物レンズ１０２からの出射光を反射ミラー１０３で反射させて、再び対物レンズ１０２を通過させて光ピックアップ１０１内に備えた光検出器（図示せず）で受光することができる。このような構成とすることにより、事前に反射ミラー１０３の反射光量と、光学部品が汚れて光量が低下した場合の１０３の反射光量を比較することができるため、光学部品の汚れを検知できるとしている。
【先行技術文献】
【特許文献】
【０００６】
【特許文献１】特公平６−８５２３１号公報
【特許文献２】特開２００６−１０７６８２号公報
【発明の概要】
【発明が解決しようとする課題】
【０００７】
特許文献１や２には、光学部品の汚れを、光ピックアップを搭載する光ディスク装置自身で判別するための方法が提案されている。
しかしながら特許文献１の構成は、外部光源を別に設けることから消費電力が増大してしまう。また、汚れ検知の回数を重ねると外部光源自体が劣化するために、外部光源自体の光量変化による受光量変化と、光ピックアップを構成する光学部品の汚れによる受光量変化との切り分けができないため、使用回数を重ねると対物レンズの汚れを正確に検知できなくなるという課題があった。
【０００８】
また、特許文献２の構成は、汚れ検知の回数を重ねると、外部反射ミラーの同一箇所に対物レンズ出射光を集光して照射し続けることになり、外部反射ミラーの反射膜の集光箇所に損傷を与えて劣化させて反射率が変化してしまう。このため、外部反射ミラーの反射率変化による受光量変化と、光ピックアップを構成する光学部品の汚れによる受光量変化との切り分けができないため、使用回数を重ねると対物レンズの汚れを正確に検知できなくなるという課題があった。
【課題を解決するための手段】
【０００９】
上記課題を解決するための、本発明は、光ディスクに情報を記録、又は、光ディスクの情報を再生することが可能な光ディスク装置であって、自装置内に設けられ、光を反射する反射素子と、前記光ディスクとは別に、前記反射素子に対して光ビームを照射することが可能な光ピックアップと、前記光ピックアップで得られる前記反射素子からの反射光に基づいて前記光ピックアップのクリーニングが必要か否かを検知する検知手段と、前記反射素子を移動させる反射素子駆動装置と、を備える。
【００１０】
また、好ましくは、前記光ピックアップから光ビームを前記反射素子に照射する時には、前記反射素子駆動装置によって前記反射素子を連続的または断続的に移動させ続けることを特徴とする。
【００１１】
また、好ましくは、前記光ディスク装置内に更に光ディスク駆動装置を備え、前記反射素子は直接的または間接的に前記光ディスク駆動装置に接触されることにより前記光ディスク駆動装置によって移動することができるようになり、前記光ディスク駆動装置が前記反射素子駆動装置を兼ねることを特徴とする。
【００１２】
また、好ましくは、前記反射素子駆動装置による前記反射素子の移動方向は、前記光ディスク装置内に前記光ディスクを取付けた場合の、前記光ディスクの面内方向に略平行であることを特徴とする。
【００１３】
また、好ましくは、前記光ピックアップは更に対物レンズと前記対物レンズを駆動する対物レンズアクチュエータを備え、前記反射素子に前記光ピックアップが光を照射しながら、前記反射素子を移動させる場合には、前記対物レンズアクチュエータを駆動させて、前記反射素子に対して合焦するようにフォーカス制御を行うことを特徴とする。
【００１４】
また、好ましくは、前記反射素子駆動装置は、ピエゾ圧電効果を用いた駆動装置であることを特徴とする。
【００１５】
また、好ましくは、前記反射素子駆動装置は、モータによる駆動装置であることを特徴とする。
【００１６】
また、好ましくは、前記反射素子は、基材表面に金属膜を備えることを特徴とする。
【００１７】
また、好ましくは、前記反射素子は、基材表面に多層の誘電体膜を備えることを特徴とする。
【００１８】
また、好ましくは、前記反射素子に前記光ピックアップから光ビームを照射した積算時間を記録する記録部を更に備え、一定の積算時間が経過した場合には、前記光ピックアップからの光ビームが照射される前記反射素子の位置を、反射素子駆動装置によって一定量移動させることを特徴とする。
【００１９】
また、好ましくは、前記反射素子に前記光ピックアップから光ビームを照射した回数を記録する記録部を更に備え、一定の回数に達した場合には、前記光ピックアップからの光ビームが照射される前記反射素子の位置を、反射素子駆動装置によって一定量移動させることを特徴とする。
【００２０】
また、好ましくは、前記光ディスク装置に前記光ディスクが取付けられている場合に、前記反射素子は前記光ディスクを挟んで前記光ピックアップとは反対側に配置されることを特徴とする。
【００２１】
また、好ましくは、前記光ディスク装置に前記光ディスクが取付けられている場合でも、前記反射素子は前記光ディスクに対して前記光ピックアップと同じ面側に配置されることを特徴とする。
【００２２】
また、別の形態の発明は、光ディスクに情報を記録、又は、光ディスクの情報を再生することが可能な光ディスク装置であって、自装置内に設けられ、光を反射する反射素子と、前記光ディスクとは別に、前記反射素子に対して光ビームを照射することが可能な光ピックアップと、前記光ピックアップで得られる前記反射素子からの反射光に基づいて前記光ピックアップのクリーニングが必要か否かを検知する検知手段と、前記光ピックアップを移動する光ピックアップ移動装置と、を備える。そして前記光ピックアップから光ビームを前記反射素子に照射する時に、前記光ピックアップ移動装置は、前記光ピックアップを連続的または断続的に移動させ続けることを特徴とする。
【００２３】
また、本発明の光ディスク処理装置は、前記光ディスク装置を備える。
【００２４】
また、本発明のコンピュータは、前記光ディスク処理装置と、情報を入力するための入力手段と、前記光ディスク処理装置から再生された情報および／または前記入力手段から入力された情報に基づいて演算を行う演算手段と、前記光ディスク処理装置から再生された情報および／または前記入力手段から入力された情報および／または前記演算手段によって演算された結果を出力するための出力手段とを備える。
【００２５】
また、本発明の光ディスクプレーヤは、前記光ディスク処理装置と、前記光ディスク処理装置から得られる情報信号を画像情報に変換するデコーダとを備える。
【００２６】
また、本発明の光ディスクレコーダは、前記光ディスク処理装置と、画像情報を前記光ディスク処理装置によって記録するための情報信号に変換するエンコーダを備える。
【００２７】
また、本発明の光ディスク機器は、前記光ディスク処理装置と、表示部を少なくとも備えた光ディスク機器であって、前記光ピックアップからの光ビームを前記反射素子に照射し、その反射光量を前記光ピックアップで受光することにより光量確認を実施し、前記受光した反射光量が一定レベル以下であった場合に、前記表示部にレンズクリーナーの使用を促す文章を表示する。
【発明の効果】
【００２８】
本発明によれば、光情報装置に搭載された光ピックアップを構成する、光学部品の汚れを定期的かつ長期にわたって検知することができ、光ディスクの情報記録面上の光スポットの光量やスポット品質が低下を未然に検出することができるため、記録・再生性能の劣化を未然に防ぐ手段を講じることができる。
【図面の簡単な説明】
【００２９】
【図１】本発明の第１の実施形態の概念を示す説明図
【図２】本発明の第１の実施形態の光量確認の具体例を示す線図的説明図
【図３】本発明の第２の実施形態の光量確認の具体例を示す線図的説明図
【図４】本発明の第３の実施形態の光量確認の具体例を示す線図的説明図
【図５】本発明の第４の実施形態の光量確認の具体例を示す線図的説明図
【図６】本発明の第５の実施形態の光量確認の具体例を示す線図的説明図
【図７】本発明の第６の実施形態の光ディスク処理装置を示す概略構成図
【図８】本発明の第７の実施形態のコンピュータを示す概略構成図
【図９】本発明の第８の実施形態の光ディスクプレーヤを示す概略構成図
【図１０】本発明の第９の実施形態の光ディスクレコーダを示す概略構成図
【図１１】本発明の第１０の実施形態の光ディスク機器を示す概略構成図
【図１２】従来の発明の光量確認の具体例を示す線図的説明図
【発明を実施するための形態】
【００３０】
以下、本実施の形態にかかる光ディスク装置について、図面を参照しながら説明する。
（実施の形態１）
図１は、本実施の形態の概念的説明図を示す。本実施の形態の意図する光ディスク装置は、図１(a)に示すように、光ディスク装置内に少なくとも、光ピックアップと、光ディスク装置内外へ着脱可能である光ディスクと、光ディスクを主に回転駆動させる光ディスク駆動装置と、光ピックアップの対物レンズからの出射光を反射させる反射素子と、反射素子を駆動する反射素子駆動装置とを備える。光ピックアップは、少なくとも光源と対物レンズと光検出器を備える。ここで、光ピックアップは光ディスクへ対物レンズ出射光を照射して記録再生をする位置と、反射素子へ対物レンズ出射光を照射する位置とを自由に移動できる構成となっており、反射素子へ対物レンズ出射光を照射して、その反射光の光量を光ピックアップ内に備えた光検出器によって受光することにより、光ピックアップ内の光量変化を検知（以降、この光量変化の検知を光量確認と呼ぶ）することができるため、光ディスク装置の性能低下を引き起こす要因となる、光ディスクの情報記録面上の光スポットの光量やスポット品質の低下を未然に検出することができるといった効果がある。ここでさらに本実施の形態では、光量確認をする時に反射素子を反射素子駆動装置にて連続もしくは断続的に駆動させる構成となっている。このような構成とすることにより、光ピックアップの光量確認をする時に、反射素子の同一箇所に連続的に対物レンズ出射光が照射されることによって反射素子の被照射部の劣化を防ぐことができ、ピックアップ外の素子である反射素子の劣化による光量低下を光ピックアップ内で発生した光量低下と誤判別することを防ぐことができ、光量確認がより高精度に可能になるといった効果がある。この事により、光ディスク装置の性能低下を引き起こす要因となる、光ディスクの情報記録面上の光スポットの光量やスポット品質の低下を未然に検出することができるといった効果が高まる。また、図１(b)に示すように、光ディスク駆動装置が反射素子を駆動する構成であってもよく、この場合駆動装置が１つでよいので光ディスク装置の小型化が図れる効果もある。
図２に本発明の実施の形態１における光ディスクの具体構成の一例を示す。
図２において、１は光ピックアップ、２は光ピックアップに搭載された対物レンズ、３は反射ミラー、４は光ディスク、５はスピンドルモータ、６は反射ミラー駆動装置を示す。光ディスク４の記録再生時には、光ピックアップ１は例えば破線で示す１'の位置のように、光ディスク４の直下にて動作する構成である。一方で、光ピックアップ１の光量確認の時には光ピックアップ１は図示するように反射素子３の直下にy方向に移動する。このとき、反射素子３は反射素子駆動装置６によって、連続的または断続的に位置を変化させて反射素子３の反射面の被照射部が時間経過に伴って変更される構成となっている。このような構成とすることにより、本実施の形態１の目的でもある、反射素子３の同一箇所に連続的に対物レンズ２からの出射光が照射されることによって反射素子３の被照射部の劣化を防ぐことができ、ピックアップ１の外の素子である反射素子３の劣化による光量低下を光ピックアップ１内で発生した光量低下と誤判別することを防ぐことができ、光量確認がより高精度に可能になるといった効果がある。
なお、反射素子３の移動方向は図中xy平面内方向であることが望ましい。このような構成とすることにより、対物レンズ２出射光の反射素子３上の光スポットの合焦状態を維持しやすくなり光スポットの大きさが略一定に保たれることから、光量確認がより高精度に可能になるといった効果がある。
また、対物レンズ２を駆動する対物レンズアクチュエータ（図示せず）を動作させ、反射素子３に対してフォーカス制御をかけてもよい。この様な構成としても、対物レンズ２出射光の反射素子３上の光スポットの合焦状態を維持しやすくなり光スポットの大きさが略一定に保たれることから、光量確認がより高精度に可能になるといった効果がある。
また、反射素子３の反射面に光ディスクの保護基材と同等厚みの保護膜を設けてもよい。このような構成とすることにより、対物レンズ２出射光の反射素子３上の光スポットの球面収差を小さくすることができるため、同様に光量確認がより高精度に可能になるといった効果がある。光ディスク４としてBDやDVDやCDといった複数のディスクに対応させる光ピックアップ１の場合、光ピックアップ１に対物レンズ２を１個搭載される構成の場合は、いずれの光ディスクに応じた光を照射しても、光量確認によって光学部品の汚れを判別することができるため、反射素子３の保護膜は、BD,DVD,CDいずれの保護基材の厚みに対応した物であってもよい。また、光ディスク４としてBDやDVDやCDといった複数のディスクに対応させる光ピックアップ１の場合、光ピックアップ１に対物レンズ２を２個以上搭載される構成の場合は、反射素子３の保護膜として、BD,DVD,CDそれぞれの保護基材の厚みと同等の膜を領域分割して有する構成とするとよい。
【００３１】
また、反射素子駆動装置６としてピエゾ圧電効果を用いた駆動装置を用いることが好ましい。このような構成とすると、反射素子駆動装置を小型化しやすいため、光ディスク装置全体を小型化できるといった効果がある。
【００３２】
また、反射素子駆動装置６として、モータによる移動装置を用いてもよい。このような構成の場合、反射素子３を移動する範囲をより広くすることができ、反射素子３の被照射部を全面にわたって広く使用することができ、より被照射部の劣化を抑えることができるといった効果がある。
【００３３】
また、光量確認時に常に反射素子駆動装置６を連続的に動作させ、反射素子３の被照射部を常に変更し続けることで、より被照射部の劣化を抑えることができるといった効果がある。
【００３４】
また、光量確認の実施積算時間や、実施回数に応じて反射素子駆動装置６によって反射素子３を一定距離移動させて被照射部の位置を変更させるとよい。このような構成とすることにより、より被照射部の劣化を抑えることができるといった効果がある。更に反射素子３の移動前後の光量変化を確認することで、光量確認がより高精度に可能になるといった効果もある。
【００３５】
また、反射素子３の反射膜は、金属膜で構成されていることが望ましい。このような構成とすることにより、複数の波長に対して反射率を高くすることができるため、光量確認時の光ピックアップの光源（図示せず）の発光量を小さくすることができ、光源素子の劣化を防ぐことができると行った効果がある。
【００３６】
また、反射素子３の反射膜は、多層の誘電体膜で構成されていてもよい。このような構成とすることにより、対物レンズ２からの出射光が照射される反射素子３の被照射部の劣化を金属膜よりも抑えることができるといった効果がある。
【００３７】
上記構成の組み合わせによっても、被照射部の劣化を抑えることができる効果や、光量確認がより高精度に可能になるといった効果を更に高めることもできる。
【００３８】
また、光ディスク４はＢＤやＤＶＤあるいはＣＤいずれであっても、本光ディスク装置の構成による効果を制限する物ではない。
（実施の形態２）
図３に本発明の実施の形態２における光ディスク装置の具体構成の一例を示す。図３において図２と同じ構成については同じ符号を用い説明を省略する。記されている以外の部品は実施の形態１で示されたものと同じ構成であり、その効果も同様である。
【００３９】
図３において、反射素子３は光ディスク４の外形よりも内側に配置されている。図３(a)は光ディスク４の記録再生時の動作を示す図である。このとき反射素子３’は光ディスク４の光ピックアップ１とは反対側に位置しているため、光ディスク４の記録再生動作において支障となることはない。図３(b)は光量確認時の動作を示す図である。本構成は光ディスク４を取り外した状態で光量確認を実施する場合、反射素子３を図中z方向に移動させて光ピックアップ１の対物レンズ２からの出射光をほぼ合焦できる位置に配置する。このような構成により、実施の形態１と同様に、反射素子３の同一箇所に連続的に対物レンズ２からの出射光が照射されることによって反射素子３の被照射部の劣化を防ぐことができ、ピックアップ１の外の素子である反射素子３の劣化による光量低下を光ピックアップ１内で発生した光量低下と誤判別することを防ぐことができ、光量確認がより高精度に可能になるといった効果がある。また本実施の形態のような構成とすることにより、光ディスク４の外形より外側に反射素子３を配置する構成と比較して、光ディスク装置を小型化できるといった効果がある。
反射素子３を図中z方向に移動させるには、z方向の反射素子駆動装置（図示せず）を用いる構成が望ましい。このような構成とすることにより、正確に対物レンズ２からの出射光をほぼ合焦できる位置に反射素子３を移動させることができるため、光量確認がより高精度に可能になるといった効果がある。
【００４０】
また、反射素子３をz方向に移動させず、光ピックアップ１の対物レンズアクチュエータ（図示せず）を用いて、対物レンズ２をz方向に移動させる構成であってもよい。このような構成とすると、反射素子３をz方向に移動させる駆動装置を用いる必要がないため、光ディスク装置の小型化が図れるといった効果がある。また、反射素子３をz方向に移動させる必要がないため、例えば光ディスク装置の金属板（図示せず）等に反射素子駆動装置６を固定することができるため、例えば反射素子駆動装置６にピエゾ圧電効果を用いた駆動装置を使用する場合でも、駆動装置の放熱構造が構成しやすく、装置の長期使用耐性を高めることができるといった効果もある。
【００４１】
なお、本実施の形態２においても、前述の実施の形態１で述べた反射素子３や反射素子駆動装置６の構成は有効であり、実施の形態１で述べた物と同様の効果を得られる。
（実施の形態３）
図４に本発明の実施の形態３における光ピックアップの具体構成の一例を示す。図４において図２や図３と同じ構成については同じ符号を用い説明を省略する。記されている以外の部品は実施の形態１や実施の形態２で示されたものと同じ構成であり、その効果も同様である。図４において、７は光ディスク４をスピンドルモータ５に固定するディスク固定部材である。また３’は固定部材７に取付けられた、円盤状反射素子である。
図４(a)は光ディスク４の記録再生時の動作を示す図である。このとき円盤状反射素子３’は固定部材７と共に光ディスク４の光ピックアップ１とは反対側に位置しているため、光ディスク４の記録再生動作において支障となることはない。図４(b)は光量確認時の動作を示す図である。光ディスク４が取り外した状態となり、固定部材７に取付けられた円盤状反射素子３’がスピンドルモータ５上に位置することが可能となる。このような構成により、円盤状反射素子３’を光ピックアップ１の対物レンズ２からの出射光をほぼ合焦する位置に配置することが可能となり、光量確認を実施できる。円盤状反射素子３’はスピンドルモータ５により回転駆動することにより、円盤状反射素子３’の同一箇所に連続的に対物レンズ２からの出射光が照射されることによって円盤状反射素子３’の被照射部の劣化を防ぐことができ、ピックアップ１の外の素子である円盤状反射素子３’の劣化による光量低下を光ピックアップ１内で発生した光量低下と誤判別することを防ぐことができ、光量確認がより高精度に可能になるといった効果が前述の実施の形態と同様に得られる物である。また本実施の形態３のような構成とすることにより、光ディスク４の駆動装置であるスピンドルモータ５が、実施の形態１における反射素子駆動装置６である円盤状反射素子３’の駆動装置も兼ねることができ、光ディスク装置を小型化できるといった効果がある。
【００４２】
なお、本実施の形態３においても、前述の実施の形態１で述べた反射素子３の構成は円盤状反射素子３’にも有効であり、実施の形態１で述べた物と同様の効果を得られる。
（実施の形態４）
図５に本発明の実施の形態４における光ピックアップの具体構成の一例を示す。図５において図２乃至図４と同じ構成については同じ符号を用い説明を省略する。記されている以外の部品は実施の形態１乃至実施の形態３で示されたものと同じ構成であり、その効果も同様である。図５において、７は光ディスク４をスピンドルモータ５に固定するディスク固定部材である。また３’’はスピンドルモータ５に取付けられた、円盤状反射素子である。
図５(a)は光ディスク４の記録再生時の動作を示す図である。このとき円盤状反射素子３’’はスピンドルモータ５と共に光ディスク４のアクセスしなければならない半径よりも内側に位置しているため、光ディスク４の記録再生動作において支障となることはない。図４(b)は光量確認時の動作を示す図である。光ディスク４を取付けた状態のまま、スピンドルモータ５に取付けられた円盤状反射素子３’’のある位置まで、光ピックアップ１が移動することができる。このような構成により、円盤状反射素子３’’を光ピックアップ１の対物レンズ２からの出射光をほぼ合焦する位置に配置することが可能となり、光量確認を実施できる。円盤状反射素子３’’はスピンドルモータ５により回転駆動することにより、円盤状反射素子３’’の同一箇所に連続的に対物レンズ２からの出射光が照射されることによって円盤状反射素子３’’の被照射部の劣化を防ぐことができ、ピックアップ１の外の素子である円盤状反射素子３’’の劣化による光量低下を光ピックアップ１内で発生した光量低下と誤判別することを防ぐことができ、光量確認がより高精度に可能になるといった効果が前述の実施の形態と同様に得られる物である。また本実施の形態４のような構成とすることにより、光ディスク４の駆動装置であるスピンドルモータ５が、実施の形態１における反射素子駆動装置６である円盤状反射素子３’’の駆動装置も兼ねることができ、光ディスク装置を小型化できる上、さらに光ディスク４を取付けた状態のまま光量確認を実施できるといった効果がある。
【００４３】
なお、本実施の形態４においても、前述の実施の形態１で述べた反射素子３の構成は円盤状反射素子３’’にも有効であり、実施の形態１で述べた物と同様の効果を得られる。
（実施の形態５）
図６に本発明の実施の形態５における光ピックアップの具体構成の一例を示す。図６において図２と同じ構成については同じ符号を用い説明を省略する。記されている以外の部品は実施の形態１で示されたものと同じ構成であり、その効果も同様である。図６において、６’は光ピックアップ１を光ディスク４の半径方向に沿って移動させる光ピックアップ移動装置である。光ピックアップ１の光量確認の時には光ピックアップ１は図示するように反射素子３の直下にy方向に移動する。このとき、光ピックアップ１は光ピックアップ移動装置６’によって、連続的または断続的に位置を変化させて反射素子３の反射面の被照射部が時間経過に伴って変更される構成となっている。すなわち、光ピックアップ移動装置６’が、前述の実施の形態１における反射素子駆動装置６の動作を等価的に担っている。このような構成とすることにより、前述の実施の形態１と同様に、反射素子３の同一箇所に連続的に対物レンズ２からの出射光が照射されることによって反射素子３の被照射部の劣化を防ぐことができ、ピックアップ１の外の素子である反射素子３の劣化による光量低下を光ピックアップ１内で発生した光量低下と誤判別することを防ぐことができ、光量確認がより高精度に可能になるといった効果がある。また、本実施の形態５の構成においては、光ピックアップ移動装置６’に実施の形態１における反射素子駆動装置６の機能を併せ持っていることから、光ディスク装置の小型化が図れるといった効果もある。
【００４４】
なお、本実施の形態５においても、前述の実施の形態１で述べた反射素子３や、光ピックアップ移動装置６’である反射素子駆動装置６の構成は有効であり、実施の形態１で述べた物と同様の効果を得られる。
（実施の形態６）
図７は本発明の実施の形態６における光ディスク処理装置の概略構成図である。
【００４５】
図７において、５０は光ディスク処理装置全体を表しており、光ディスク処理装置５０は光ディスク装置５１と制御部５２で構成されている。また６０はＢＤであるが、ＤＶＤ７０（図示せず）あるいはＣＤ８０（図示せず）に交換可能である。制御部５２は光ディスク装置５１内の光ピックアップ５３の駆動および制御を行う機能を有すると共に、光ピックアップ５３で受光された制御信号、情報信号の信号処理を行う機能と、情報信号を光ディスク処理装置５０の外部と内部でインタフェースさせる機能を有する。
【００４６】
光ディスク装置５１は、実施の形態１乃至実施の形態５で述べたいずれかの光ディスク装置であるので、本実施の形態における光ディスク処理装置５０は、実施の形態１乃至実施の形態５の効果を有する物である。
（実施の形態７）
図８は本発明の一実施の形態におけるコンピュータの概略構成図である。
【００４７】
図８において、コンピュータ５００は、実施の形態６の光ディスク処理装置５０と、情報の入力を行うためのキーボードあるいはマウス、タッチパネルなどの入力装置５０１と、入力装置５０１から入力された情報や、光ディスク装置５０から読み出した情報などに基づいて演算を行う中央演算装置（ＣＰＵ）などの演算装置５０２と、演算装置５０２によって演算された結果などの情報を表示するブラウン管や液晶表示装置、プリンタなどの出力装置５０３を備える。
【００４８】
コンピュータ５００は、実施の形態６の光ディスク処理装置５０を備えるので、異なる種類の光ディスクを、それぞれ良好に記録または再生を行なうことができるため、広い用途に適用できる効果を有する。
【００４９】
（実施の形態８）
図９は本発明の一実施の形態における光ディスクプレーヤの概略構成図である。
【００５０】
図９において、光ディスクプレーヤ６００は、実施の形態６の光ディスク処理装置５０と、光ディスク装置処理５０から得られる情報信号を画像信号に変換する情報から画像への変換装置（例えばデコーダ６０１）を備える。
【００５１】
なお、本光ディスクプレーヤ６００は、ＧＰＳ等の位置センサーや中央演算装置（ＣＰＵ）を加えることによりカーナビゲーションシステムとしても利用可能である。また、また、液晶モニタなどの表示装置６０２を加えた形態も可能である。
【００５２】
光ディスクプレーヤ６００は、実施の形態６の光ディスク処理装置５０を備えるので、異なる種類の光ディスクを、それぞれ良好に再生できるため、広い用途に適用できる効果を有する。
【００５３】
（実施の形態９）
図１０は本発明の一実施の形態における光ディスクレコーダの概略構成図である。
【００５４】
図１０において、光ディスクレコーダ７００は、実施の形態６の光ディスク処理装置５０と、画像情報を光ディスク処理装置５０によって光ディスクへ記録する情報信号に変換する画像から情報への変換装置（例えばエンコーダー７０１）を備える。望ましくは、光ディスク処理装置５０から得られる情報信号を画像情報に変換する情報から画像への変換装置（デコーダー７０２）も備えることにより、記録した画像を再生することも可能となる。なお情報を表示するブラウン管や液晶表示装置、プリンタなどの出力装置７０３を備えてもよい。
【００５５】
光ディスクレコーダ７００は、実施の形態６の光ディスク処理装置５０を備えるので、異なる種類の光ディスクを、それぞれ良好に記録または再生を行なうことができるため、広い用途に適用できる効果を有する。
【００５６】
（実施の形態１０）
図１１は本発明の一実施の形態における光ディスク機器の概略構成図である。
図１１において、光ディスク機器８００は、実施の形態６の光ディスク処理装置５０と、光量確認制御部８０１、表示部８０２を備える。光ディスク処理装置５０は、実施の形態１乃至実施の形態５の光ディスク装置を有するので、光量確認を実施することができる。また、光量確認制御部８０１には、予め初期の光量確認の値が保持されている。光量確認の結果、光量が一定レベル以下に減少していた場合、光量確認制御部８０１が表示部８０２にレンズクリーナーの使用を促すメッセージを表示する。レンズクリーナーとは、光ディスク４と外形が同じで光ディスク装置５１で再生可能な構造を有し、光ディスク装置５１で再生を実施すると、光ピックアップ１に搭載された対物レンズ２に付着した異物等を除去する構造を有する特殊ディスクである。
【００５７】
また、レンズクリーナーを使用後にも光量確認を実施し、それでもなお光量が一定レベル以下であった場合には、光ディスク装置内部の故障及び修理を促すメッセージを表示部に表示するとなおよい。
【００５８】
なお、図１１のように表示部にはメッセージを表示する構成としたが、レンズクリーナーの使用要否や、故障等を示すインジケータランプを備え、そのインジケータランプの明滅によってメッセージの代わりを果たしてもよい。
【００５９】
以上の構成により、光ディスク機器８００を使用するユーザは、適切なタイミングでレンズクリーナーを使用することができ、不適切なレンズクリーナーの使用による対物レンズ２へのダメージを低減したり、機器の修理を実施する場合に故障箇所の判別が容易になるなどといった効果がある。
【産業上の利用可能性】
【００６０】
本発明の光ピックアップは、複数種類の光ディスクに対して、それぞれ良好に記録または再生が可能である。また、光ピックアップの構成が簡単化されるため、生産性の向上が達成されるとともに、安価に光ディスク装置を提供できる。
【００６１】
さらに、本発明の光ディスク装置を備えたコンピュータ、光ディスクプレーヤ、光ディスクレコーダは、異なる種類の光ディスクを、それぞれ良好に記録または再生を行なうことができるため、広い用途に適用できる効果を有する。
【符号の説明】
【００６２】
１、１’    光ピックアップ
２    対物レンズ
３    反射素子
３’、３’’    円盤状反射素子
４    光ディスク
５    スピンドルモータ
６    反射素子駆動装置
６’    光ディスク移動装置
７    固定部材
５０    光ディスク処理装置
５１    光ディスク装置
５２    制御部
５３    光ピックアップ
６０    ＢＤ
７０    ＤＶＤ
８０    ＣＤ
１０１    光ピックアップ
１０２    対物レンズ
１０３    反射ミラー
１０４    光ディスク
１０５    スピンドルモータ
５００    コンピュータ
５０１    入力装置
５０２    演算装置
５０３    出力装置
６００    光ディスクプレーヤ
６０１    デコーダ
６０２    表示装置
７００    光ディスクレコーダ
７０１    エンコーダ
７０２    デコーダ
７０３    出力装置
８００    光ディスク機器
８０１    表示部
８０２    光量確認制御部
【図１】
2011159337.tif 000003
【図２】
2011159337.tif 000004
【図３】
2011159337.tif 000005
【図４】
2011159337.tif 000006
【図５】
2011159337.tif 000007
【図６】
2011159337.tif 000008
【図７】
2011159337.tif 000009
【図８】
2011159337.tif 000010
【図９】
2011159337.tif 000011
【図１０】
2011159337.tif 000012
【図１１】
2011159337.tif 000013
【図１２】
2011159337.tif 000014